(57)【要約】【課題】光学フィルタを光軸直交面上に配置すると、ＣＣＤ等で反射して被写体側に戻った光線が、再び光学フィルタで反射してＣＣＤ側に向かい、ゴーストやフレアとなる。【解決手段】本発明の光量調節装置９では、開閉動作して光路を通過する光量を調節する絞り羽根９ｅと、光路に対して挿入・退避動作する光学フィルタ９ｈ（９ｈ２、９ｈ３）とを有し、絞り羽根と光学フィルタのうち少なくとも光学フィルタを光軸直交面Ａ’に対して傾斜させる。【選択図】　図２
2004061740.tif 000002
【特許請求の範囲】
【請求項１】
開閉動作して光路を通過する光量を調節する絞り羽根と、
前記光路に対して挿入・退避動作する光学フィルタとを有し、
前記絞り羽根と前記光学フィルタのうち少なくとも前記光学フィルタが光軸直交面に対して傾斜していることを特徴とする光量調節装置。
【請求項２】
前記光学フィルタが前記絞り羽根よりも像面側に配置されていることを特徴とする請求項１に記載の光量調節装置。
【請求項３】
前記絞り羽根と前記光学フィルタとが非平行関係にあることを特徴とする請求項１に記載の光量調節装置。
【請求項４】
前記絞り羽根が光軸直交面内に配置されていることを特徴とする請求項３に記載の光量調節装置。
【請求項５】
前記絞り羽根と前記光学フィルタとの間にベース部材が配置されており、
前記ベース部材に、前記光学フィルタを光軸直交面に対して傾斜した方向に動作案内するガイド部を設けたことを特徴とする請求項１に記載の光量調節装置。
【請求項６】
前記絞り羽根を開閉駆動する駆動源とは別に前記光学フィルタを挿入・退避駆動する駆動源が設けられており、前記両駆動源は互いに独立して制御されることを特徴とする請求項１に記載の光量調節装置。
【請求項７】
前記光学フィルタは、光量を減衰させるＮＤフィルタであることを特徴とする請求項１に記載の光量調節装置。
【請求項８】
請求項１から７のいずれかに記載の光量調節装置を含む撮影光学系を有することを特徴とするレンズ装置。
【請求項９】
請求項１から７のいずれかに記載の光量調節装置を含む撮影光学系と、前記撮影光学系により形成された被写体像を撮像する撮像手段とを有することを特徴とする撮像装置。
【発明の詳細な説明】
【０００１】
【発明の属する技術分野】
本発明は、ビデオカメラやデジタルスチルカメラ等の撮像装置に用いられるレンズ装置に関するものである。
【０００２】
【従来の技術】
ビデオカメラ用のズームレンズとしては、被写体側から順に、固定の凸、可動の凹、固定の凸、可動の凸の４つのレンズ群から構成されるものが良く知られている。
【０００３】
また、デジタルスチルカメラ用のレンズとしては、上記ビデオで一般的な光学タイプにこだわらず種々のものが知られている。特に、デジタルスチルカメラ用のレンズでは、撮影を行わないときに沈胴動作により全長が短縮されるような構成がとられる場合もある。
【０００４】
図７（Ａ），（Ｂ）には、一般的な４群レンズ構成のズームレンズの鏡筒構造を示している。なお、（Ｂ）は（Ａ）におけるＡ−Ａ線断面を示している。
【０００５】
このズームレンズを構成する４つのレンズ群２０１ａ〜２０１ｄは、固定された前玉レンズ２０１ａ、光軸に沿って移動することで変倍動作を行うバリエーターレンズ群２０１ｂ、固定されたアフォーカルレンズ２０１ｃ、および光軸に沿って移動することで変倍時の焦点面維持と焦点合わせを行うフォーカシングレンズ群２０１ｄからなる。
【０００６】
ガイドバー２０３，２０４ａ，２０４ｂは光軸２０５と平行に配置され、移動するレンズ群の案内および回り止めを行う。ＤＣモータ２０６はバリエーターレンズ群２０１ｂを移動させる駆動源となる。
【０００７】
前玉レンズ２０１ａは前玉鏡筒２０２に保持され、バリエーターレンズ群２０１ｂはＶ移動環２１１に保持されている。また、アフォーカルレンズ２０１ｃは中間枠２１５に、フォーカシングレンズ群２０１ｄはＲＲ移動環２１４に保持されている。
【０００８】
前玉鏡筒２０２は、後部鏡筒２１６に位置決め固定されており、両鏡筒２０２，２１６によってガイドバー２０３が位置決め支持されているとともに、ガイドスクリュー軸２０８が回転可能に支持されている。このガイドスクリュー軸２０８は、ＤＣモータ２０６の出力軸２０６ａの回転がギア列２０７を介して伝達されることにより回転駆動される。
【０００９】
バリエーターレンズ群２０１ｂを保持するＶ移動環２１１は、押圧ばね２０９とこの押圧ばね２０９の力でガイドスクリュー軸２０８に形成されたスクリュー溝２０８ａに係合するボール２１０とを有しており、ＤＣモータ２０６によってガイドスクリュー軸２０８が回転駆動されることにより、ガイドバー２０３にガイドおよび回転規制されながら光軸方向に進退移動する。
【００１０】
後部鏡筒２１６とこの後部鏡筒２１６に位置決めされた中間枠２１５にはガイドバー２０４ａ，２０４ｂが嵌合支持されている。ＲＲ移動環２１４は、これらガイドバー２０４ａ，２０４ｂによってガイドおよび回転規制されながら光軸方向に進退可能である。
【００１１】
フォーカシングレンズ群２０１ｄを保持するＲＲ移動環２１４には、ガイドバー２０４ａ，２０４ｂにスライド可能に嵌合するスリーブ部が形成されており、またラック２１３が光軸方向についてＲＲ移動環２１４と一体的となるように組み付けられている。
【００１２】
ステッピングモータ２１２は、その出力軸に一体形成されたリードスクリュー２１２ａを回転駆動する。リードスクリュー２１２ａにはＲＲ移動環２１４に組み付けられたラック２１３が係合しており、リードスクリュー２１２ａが回転することによって、ＲＲ移動環２１４がガイドバー２０４ａ，２０４ｂによりガイドされながら光軸方向に移動する。
【００１３】
なお、バリエーターレンズ群の駆動源としては、フォーカシングレンズ群の駆動源と同様にステッピングモータを用いてもよい。
【００１４】
そして、前玉鏡筒２０２、中間枠２１５および後部鏡筒２１６により、レンズ等を略密閉収容するレンズ鏡筒本体が形成される。
【００１５】
また、このようなステッピングモータを用いてレンズ群保持枠を移動させる場合には、フォトインタラプタ等を用いて保持枠が光軸方向の１つの基準位置に位置することを検出した後に、ステッピングモータに与える駆動パルスの数を連続的にカウントすることにより、保持枠の絶対位置を検出する。
【００１６】
ところで、撮像装置に用いられる撮像素子であるＣＣＤは、民生用ビデオカメラでは１／３インチ型、１／４インチ型と称される、対角寸法が６ｍｍ、４ｍｍ程度といったものが主流となってきている。この大きさの中に例えば３１万個の画素を有している。
【００１７】
また、デジタルスチルカメラでは、１／２インチ型（対角８ｍｍ）程度のＣＣＤで、２００〜３００万個の画素を有するようなものも使われている。
【００１８】
このような高画素のＣＣＤを用いたデジタルカメラにおいては、よく普及している小型のプリントサイズでは、従来のフイルムカメラで撮影した写真と条件が同じであれば遜色のない画質が確保できるようになってきている。
【００１９】
このようなビデオカメラにおいて、許容錯乱円径は１２〜１５μｍ程度、またデジタルスチルカメラでは７〜８μｍ程度と、従来の１３５フイルムフォーマットの許容錯乱円３３〜３５μｍと比較するとはるかに小さな数字となる。これは画面対角寸法が上述のように１３５フイルムフォーマットの４３ｍｍに比べるとはるかに小さいためである。また、この数字はＣＣＤの画素サイズが更に小さくなることによって、より小さな数字となると予想される。
【００２０】
また、別の観点から考えると、このようなＣＣＤを用いる撮像装置で、１３５フイルムカメラと同じ画角を得るための焦点距離は、イメージサイズが小さいことで短くなる。例えば、１３５フイルムカメラで４０ｍｍの標準焦点距離で得られる画角は、１／４インチのＣＣＤを用いた撮像装置では４ｍｍとなる。このため、同じＦ値で撮影しているときの被写界深度は、フイルムカメラと比較すると、ＣＣＤを用いた撮像装置ではきわめて深くなる。
【００２１】
一方、焦点深度は、よく知られているように、片側で、許容錯乱円径×Ｆ値（絞り値）で求められるから、例えばＦ２のとき、１３５フイルムカメラの焦点深度（片側）は０．０３５×２＝０．０７ｍｍであるのに対し、１／２インチ型の撮像装置では０．００７×２＝０．０１４ｍｍと狭くなる。
【００２２】
上述のように対角寸法が、同じ例えば６ｍｍの１／３インチ型のＣＣＤでも、１００万画素からさらに２００万、３００万と画素数を多くして、解像感を上げる目的としたものから、一方では画素の大きさをむやみに小さくはせず、ダイナミックレンジや感度を重視したものなど、ＣＣＤ撮像素子にも種々の仕様のものが知られている。
【００２３】
そして、ＣＣＤ撮像素子をイメージセンサとして用いた撮像装置においては、ＣＣＤの輝度信号のレベルがある定まった範囲となるように、絞り装置により絞り開口を制御して自動的に最適な露出を得る方法が一般的である。絞り装置としては、開口形状がひし形となる２枚の絞り羽根を有するものから、５枚や６枚の絞り羽根を用いた虹彩絞りなどが知られている。
【００２４】
また、絞り開口径が小さくなると、回折により画質が劣化するという問題が発生することが知られている。このため、これらの撮像装置では、画質劣化が発生しない、もしくは発生してもはそれほど問題とならない範囲に絞り開口径の制御範囲を制限することが多い。これは、現在の絞り値をマイクロコンピュータが把握し、定められた所定のＦ値より小絞り側は使用しないとするものである。
【００２５】
但し、使用できる絞り範囲に上記のような制限をかけると、実際の被写界の有する広範囲な明るさに対して絞りだけで最適な光量を調節するのが困難となる。このため、絞り羽根に一体的にＮＤ（Ｎｅｕｔｒａｌ　Ｄｅｎｓｉｔｙ　）フィルタを貼り付けて、絞り径が小さくなると絞り開口をＮＤフィルタが覆うように構成することで、同じ開口制御（例えば開放〜Ｆ８）で調整可能な明るさ範囲を広げたり、ＣＣＤの電荷蓄積時間（シャッター速度）を可変としたりすることを組み合わせて光量制御が行われている。
【００２６】
ＮＤフィルタは、上述したように絞り羽根に一体的に貼り付ける方式のものだけでなく、専用の駆動源を有し、絞り羽根とは別に駆動されて光路内への挿入量を制御する方式も知られている。このようにＮＤフィルタと絞り羽根とを独立に駆動するものは、絞り値とＮＤフィルタの挿入量とを独立にコントロールできるので、撮影レンズもしくは撮像装置全体の露出制御の自由度を増すことができる。
【００２７】
【発明が解決しようとする課題】
しかしながら、ＮＤフィルタを光軸に直交する面上に配置すると、例えばＣＣＤのカバーガラスにて反射して被写体側に戻った光線が、再びＮＤフィルタで反射してＣＣＤ側に向かい、その光がＣＣＤで撮像されてしまい、ゴーストやフレアとなる場合がある。
【００２８】
【課題を解決するための手段】
上記の課題を解決するために、本発明の光量調節装置は、開閉動作して光路を通過する光量を調節する絞り羽根と、光路に対して挿入・退避動作する光学フィルタとを有し、絞り羽根と光学フィルタのうち少なくとも光学フィルタを光軸直交面に対して傾斜させている。
【００２９】
このように少なくとも光学フィルタを光軸直交面に対して傾斜させることにより、撮像素子等で反射して光学フィルタに戻ってきた光が、光学フィルタで再び撮像素子に向けて反射しないようにすることが可能となり、ゴーストやフレアの発生を抑えることが可能となる。
【００３０】
本発明は、特に光学フィルタが絞り羽根よりも像面側に配置されている場合に有効である。
【００３１】
また、絞り羽根も光軸直交面に対して傾斜させてもよいが、光学フィルタと平行になるように傾斜させると光量調節装置の光軸方向寸法が大きくなるので、絞り羽根と光学フィルタとを非平行関係にする（望ましくは、絞り羽根を光軸直交面内に配置する）して、光量調節装置の大型化、ひいてはこれを搭載するレンズ装置や撮像装置の大型化を防止するようにしてもよい。
【００３２】
さらに、上記光量調節装置を１つのユニットとして構成するにあたり、絞り羽根と光学フィルタとの間に配置されたベース部材に、光学フィルタを光軸直交面に対して傾斜した方向に動作案内するガイド部を設けるとよい。
【００３３】
【発明の実施の形態】
（第１実施形態）
図１および図２には、本発明の第１実施形態である光量調節装置を示している。本実施形態の光量調節装置９は、６枚の絞り羽根を有するいわゆる虹彩型絞りとＮＤフィルタとを有するものである。
【００３４】
これらの図において、９ａは光量調節装置９のベース部材となる地板であり、中央には開放開口９ａ２が形成されている。９ｄは後述する６枚の絞り羽根を開閉動作させる風車リングであり、地板９ａの被写体側の面における開放開口９ａの周囲で光軸Ｌを中心して回転可能に地板９ａに取り付けられている。
【００３５】
９ｅは６枚の絞り羽根であり、各絞り羽根９ｅには、地板９ａの周方向６箇所に設けられた固定軸部９ａ１が嵌合する穴部９ｅ１と、風車リング９ｄの周方向６箇所に設けられた駆動軸部９ｄ１が嵌合する長穴部９ｅ２とが形成されている。
【００３６】
また、風車リング９ｄの周方向一箇所に形成された腕部の先端には長穴部９ｄ２が形成されており、この長穴部９ｄには、地板９ａの像面側から、地板９ａに形成された円弧穴部９ａ３を貫通して被写体側に延びた絞り駆動レバー９ｃの駆動軸部９ｃ１が係合する。
【００３７】
絞り駆動レバー９ｃはステッピングモータからなる絞りモータ９ｂの出力軸に連結されている。このため、絞りモータ９ｂが回転して絞り駆動レバー９ｃが回転すると、風車リング９ｄが回転し、６枚の絞り羽根９ｅに駆動軸部９ｄ１を介して風車リング９ｄの回転力が伝達される。このため、６枚の絞り羽根９ｅは固定軸部９ａ１を中心に回動し、これら６枚の絞り羽根９ｅによって形成される絞り開口の開口径が変化して光量の調節が行われる。なお、図２に示す９ｉは押さえ板であり、地板９ａからの絞り羽根９ｅの脱落を防止するものである。
【００３８】
一方、地板９ａの像面側には、フィルタ保持部材９ｈ１が配置されている。図２（Ｂ）に示すように、このフィルタ保持部材９ｈ１の被写体側の面の下部には、単濃度（透過率３２％）のＮＤフィルタ９ｈ２が貼られている。また、フィルタ保持部材９ｈ１の像面側の中間部から下部にかけては、３２％と１０％の２種類の透過率を有する光学膜が蒸着された２濃度ＮＤフィルタ９ｈ３が貼られている。なお、光学膜における透過率３２％の領域と１０％の領域の境界は、ＮＤフィルタ９ｈ２の上端とＮＤフィルタ９ｈ３の上端との中間に位置する。
【００３９】
このように、単濃度のＮＤフィルタ９ｈ２と２濃度ＮＤフィルタ９ｈ３をフィルタ保持部材９ｈ１を挟んで光軸方向両側に配置することより、図１および図２（Ｂ）に示すように、透過率が３２％であるＮＤエリア９ｈ７と、透過率が１０％であるＮＤエリア９ｈ８と、透過率が３％であるＮＤエリア９ｈ９の計３種類の透過率を有したＮＤフィルタをフィルタ保持部材９ｈ１で保持したＮＤユニット９ｈが構成される。
【００４０】
また、各ＮＤエリアは、透過率が高い順、すなわちＮＤエリア９ｈ７、ＮＤエリア９ｈ８、ＮＤエリア９ｈ９の順で光路内に挿入されるように形成されている。
【００４１】
なお、本実施形態のＮＤユニットｈ１は、２種類以上の濃度エリアを形成するための例に過ぎず、実際には単濃度フィルタを２枚組み合わせてもよいし、２種類以上の透過率を有したフィルタを１枚貼るだけでもよく、最終的にＮＤフィルタユニットとして２種類以上の透過率を有し、光路に透過率が高い（濃度が低い）側から順に挿入されるようにすればよい。
【００４２】
フィルタ保持部材９ｈ１の下端部には長穴部９ｈ１１が形成されており、この長穴部９ｈ１１には、ステッピングモータからなるＮＤモータ９ｆの出力軸に連結されたＮＤ駆動レバー９ｇの駆動軸部９ｇ１が係合している。
【００４３】
また、フィルタ保持部材９ｈ１の側部には、長穴部９ｈ１２，９ｈ１３が形成されており、これら長穴部９ｈ１２，９ｈ１３にはそれぞれ、地板９ａに設けられた２箇所のガイド突起部９ａ２が係合している。このため、ＮＤモータ９ｆが回転してＮＤ駆動レバー９ｇが回転すると、ＮＤユニット９ｈは、図中に９ｈ１４で示す方向に往復動作し、絞り羽根９ｅによって形成される絞り開口を通過する光路に対して挿入・退避し、挿入状態においてフィルタ濃度に応じた光量調節を行う。
【００４４】
なお、本実施形態の光量調節装置９では、絞り羽根９ｅと絞りモータ９ｂとが地板９ａを挟んで互いに光軸方向反対側に配置されている。こうすることによって、絞り羽根９ｅとＮＤユニット９ｈとの間のスペースを利用して絞り駆動レバー９ｃをレイアウトすることができ、光量調節装置９が光軸方向に大型化するのを防ぐことができる。
【００４５】
また、ＮＤユニット９ｈとＮＤモータ９ｆも、地板９ａを挟んで互いに光軸方向反対側に配置されている。こうすることによって、絞り羽根９ｅとＮＤユニット９ｈとの間のスペースを利用してＮＤ駆動レバー９ｇをレイアウトすることができ、光量調節装置９が光軸方向に大型化するのを防ぐことができる。
【００４６】
さらに、本実施形態の光量調節装置９では、図２（Ａ）に示すように、絞り羽根９ｅは光軸Ｌに直交する面Ａ上に配置されているが、ＮＤユニット９ｈは、光軸Ｌに直交する面Ａ’に対して角度Ｎ°傾斜した面Ｂに平行に配置されている。すなわち、ＮＤユニット９ｈは、光軸直交面Ａ’に対して角度Ｎ°だけ傾斜して配置されている。
【００４７】
光軸直交面Ａ’は面Ｂに対して、ＮＤ駆動レバー９ｇの駆動軸部９ｇ１の位置で交差するように設定され、ＮＤユニット９ｈは絞り羽根９ｅに対して平行ではなく角度Ｎ°を保った状態で駆動される。
【００４８】
そして、ＮＤユニット９ｈを面Ｂに平行に駆動ガイドするために、地板９ａのＮＤユニット９ｈに対向する部分には、光軸直交面Ａ’に対して角度Ｎ°を有するガイド面を有するガイド突起部１２が一体形成されている。
【００４９】
図３は、地板９ａを図２（Ａ）中の矢印Ｃ方向から見た図であり、ガイド突起部１２は地板９ａにおける開放開口９ａ２の回りの３箇所に形成されている。なお、ガイド突起部１２の数は必ずしも３箇所でなくてもよい。
【００５０】
また、図２（ａ）に示すカバー１３は、ＮＤユニット９ｈを地板９ａとの間に挟むように、光軸直交面に対して角度Ｎ°傾いて地板９ａに取り付けられている。
【００５１】
例えば、金属の板でカバー１３を作成する場合、半抜き加工によってガイド突起部１４を、地板９ａのガイド突起部１２と同様の箇所に設ける。そして、これら両ガイド突起部１２，１４によって、ＮＤユニット９ｈを挟み込む。
【００５２】
したがって、ＮＤ駆動レバー９ｇの駆動軸部９ｇ１は光軸直交面Ａ’上で回転するが、ＮＤユニット９ｈは両ガイド突起部１２，１４によって面Ｂに平行にガイドされ、光軸直交面Ａ’に対して角度Ｎ°を保った状態で駆動される。
【００５３】
図４には、図１〜図３で説明した光量調節装置を撮影光学系内に配置した、ビデオカメラやデジタルスチルカメラ等の撮像装置の構成を示している。
【００５４】
▲１▼は凸レンズとしての第１群（前玉）レンズであり、前玉鏡筒１に保持されている。この前玉鏡筒１は固定鏡筒２にビス１ａにより結合されている。▲２▼は光軸方向に移動して変倍を行う凹レンズとしての第２群レンズであり、２群保持枠３により保持されている。▲３▼は凸レンズとしての第３群レンズであり、固定鏡筒２に対して係合部４ａにて係合固定された３群保持枠４によって保持されている。▲４▼は光軸方向に移動して変倍時の焦点面維持と焦点合わせを行う、凸レンズとしての第４群レンズであり、４群保持枠５に固定されている。
【００５５】
なお、２群保持枠３と４群保持枠５はそれぞれ不図示の駆動機構によって光軸方向に駆動される。
【００５６】
６はローパスフィルタ、１５はＣＣＤやＣＭＯＳセンサ等の撮像素子、１６は撮像素子１５の受光面を覆うカバーガラスであり、これらは固定鏡筒２の後端部に保持されている。
【００５７】
上記２群保持枠３と３群保持枠４との間には、本実施形態の光量調節装置９が配置されている。
【００５８】
ここで、図５には、上記撮像装置における電気的構成を示している。この図において、図１〜図４にて説明した構成要素については、これらの図と同符号を付して説明に代える。
【００５９】
１３２は本カメラの制御を司るＣＰＵである。１２８はカメラ信号処理回路であり、撮像素子１５の出力に対して所定の増幅やガンマ補正などを施す。これらの所定の処理を受けた映像信号のコントラスト信号は、ＡＥゲート１２９およびＡＦゲート１３０を通過する。即ち、露出決定およびピント合わせのために最適な信号の取り出し範囲が全画面内のうちこのゲートで設定される。このゲートの大きさは可変であったり、複数設けられたりする場合がある。
【００６０】
１３１はＡＦ（オートフォーカス）のためのＡＦ信号を処理するＡＦ信号処理回路であり、映像信号の高周波成分に関する１つもしくは複数の出力を生成する。１３３は撮影者によって操作されるズームスイッチ、１３４はズームトラッキングメモリである。ズームトラッキングメモリ１３４は、変倍に際して被写体距離とバリエーターレンズ（第２群レンズ▲２▼）の位置に応じてセットすべきフォーカシングレンズ位置の情報を記憶する。なお、ズームトラッキングメモリとしてＣＰＵ１３２内のメモリを使用してもよい。
【００６１】
例えば、撮影者によりズームスイッチ１３３が操作されると、ＣＰＵ１３２は、ズームトラッキングメモリ１３４の情報をもとに算出したバリエーターレンズとフォーカシングレンズ（第４群レンズ▲４▼）の所定の位置関係が保たれるように、現在のバリエーターレンズの光軸方向位置と算出されたバリエーターレンズのセットすべき位置、および現在のフォーカスレンズの光軸方向位置と算出されたフォーカスレンズのセットすべき位置がそれぞれ一致するように、ズームモータ１０とフォーカスモータ１２７を駆動制御する。
【００６２】
また、オートフォーカス動作では、ＣＰＵ１３２は、ＡＦ信号処理回路２３１の出力がピークを示すようにフォーカスモータ１２７を駆動制御する。
【００６３】
さらに、適正露出を得るために、ＣＰＵ１３２は、ＡＥゲート１２９を通過したＹ信号の出力の平均値に基づいて絞りモータ９ｂを駆動制御して、開口径をコントロールする。また、Ｙ信号の出力の平均値が高い場合には、その程度に応じてＮＤモータ９ｆを駆動制御して、ＮＤユニット９ｈ１を光路内に挿入する。
【００６４】
そして、本実施形態の撮像装置においては、上述したように、ＮＤユニット９ｈが光軸Ｌに対して直交する面Ａに対して傾斜した面Ｂに平行に配置されている（ＮＤユニット９ｈが光軸直交面Ａに対して傾斜するように配置されている）ことにより、例えば、第１群レンズ▲１▼、第２群レンズ▲２▼、光量調節装置９の絞り開口、第３群レンズ▲３▼および第４群レンズ▲４▼を通過して撮像素子１５側に向かった被写体からの光が、ローパスフィルタ６、カバーガラス１６および撮像素子１５の受光面で反射して光量調整装置９側に戻り、ＮＤユニット９ｈの撮像面側に配置されたＮＤフィルタ９ｈ３等で再度反射しても、この光が撮像素子１５に入射してしまうことを防止することができる。
【００６５】
具体的には、例えば、図４中の点１７（ここでは、カバーガラス１６の表面）に高輝度被写体（太陽など）が結像し、その光が光軸Ｌと平行な矢印１８の方向に反射した場合、仮にＮＤフィルタが光軸直交面上にあると、光はＮＤフィルタで反射して矢印１８とは反対方向に戻り、撮像素子１５に入射することになる。しかし、本実施形態のように、ＮＤユニット９ｈ（ＮＤフィルタ９ｈ３等）を光軸直交面に対して傾けることにより、矢印１９に示す方向に反射する、すなわちＮＤユニット９ｈでの反射光を撮像素子１５の受光画面外へ誘導することができる。
【００６６】
したがって、ＮＤユニット９ｈで反射した光によるフレアやゴーストの発生を抑えることができる。
【００６７】
なお、本実施形態では、ＮＤユニット９ｈで反射した光によるフレアやゴーストの発生を抑えるための基本的考え方を示したが、実際の撮像装置に光量調節装置９を搭載する場合は、高輝度被写体が存在する確率の高い場所がどちらであるかや個々の光学設計値によって、ＮＤユニット９ｈを傾ける角度や方向が定められることになる。
【００６８】
また、絞り羽根９ｅでも同様に反射光によるゴースト等の発生の可能性があるため、絞り羽根９ｅも光軸直交面Ａに対して傾斜させてもよい。但し、絞り羽根９ｅまでＮＤユニット９ｈと平行になる角度傾斜させてしまうと、光量調節装置９が図４中の斜線部２０の範囲まで占めるようになる、すなわち光量調節装置９の光軸方向の厚みが増加してしまい、第２群レンズ▲２▼と干渉を避けるために、撮像装置の大型化を招くことになる。また、絞り羽根９ｅを傾けすぎると、絞り開口の上端と下端の光軸方向位置が大きく異なるため、周辺光量にアンバランスを生じるおそれもある。
【００６９】
このため、絞り羽根９ｅを光軸直交面Ａに対して角度Ｎ°よりも浅い角度傾斜させる（つまり、絞り羽根９ｅとＮＤユニット９ｈとを互いに非平行関係となるように傾斜させる）か、本実施形態のように光軸直交面Ａ上に配置して反射防止塗料を塗布する等で対処するようにするのが好ましい。
【００７０】
（第２実施形態）
上述した第１実施形態では、絞り羽根を６枚用いた虹彩型絞りを有する光量調節装置について説明したが、本発明は、図５に示すように、２枚羽根絞りを有する光量調節装置にも適用することができる。
【００７１】
なお、本実施形態の構成要素のうち第１実施形態と共通する構成要素には第１実施形態と同符号を付して説明に代える。
【００７２】
本実施形態では、地板９ａ’の被写体側の面に２つの固定軸部９ａ４’を設け、これら固定軸部９ａ４’に２枚の絞り羽根９ｊに形成された穴部９ｊ１を嵌合させる。
【００７３】
２枚の絞り羽根９ｊにはそれぞれ長穴部９ｊ２が形成されており、２枚の絞り羽根９ｊはこれら長穴部９ｊ２が重なるように配置される。そして、これら重なった長穴部９ｊ２には、地板９ａ’の像面側から、地板９ａ’に形成された円弧穴部９ａ３’を貫通して被写体側に延びた絞り駆動レバー９ｃの先端が係合する。
【００７４】
このため、絞りモータ９ｂが回転して絞り駆動レバー９ｃが回転すると、２枚の絞り羽根９ｊは固定軸部９ａ４’を中心に回動し、略菱形の絞り開口の面積を変化させる。
【００７５】
このような絞りと第１実施形態にて説明したＮＤユニットｈ１とを組み合わせ、絞り羽根９ｊを光軸直交面上に配置するとともに、ＮＤユニットｈ１を光軸直交面に対して傾斜させて配置することにより、第１実施形態と同様に、ＮＤユニットｈ１での反射光によるゴースト等の発生を防止することができる。
【００７６】
さらに、本発明は、ビデオカメラ等の絞りとして最も一般的に用いられる、２枚の羽根が互いに離間もしくは接近する方向に直線的に駆動するタイプの絞りを有する光量調節装置にも適用することができる。
【００７７】
なお、上記各実施形態にて説明した光量調節装置の構成は例に過ぎず、光量調節装置が搭載される撮影レンズや撮像装置に求められるサイズその他の要求などに応じて適宜変更が可能である。
【００７８】
また、上記各実施形態では、絞り羽根とＮＤフィルタとが独立して駆動される光量調節装置について説明したが、本発明は、絞り羽根にＮＤフィルタが貼り付けられて両者が一体的に駆動される光量調節装置にも適用することができる。この場合、光軸直交面上に配置した絞り羽根に対して角度を付けてＮＤフィルタを貼り付けるようにすればよい。
【００７９】
また、上記各実施形態では、光学フィルタとしてＮＤフィルタを用いた場合について説明したが、ＮＤフィルタ以外の光学フィルタを備えた光量調節装置にも本発明を適用することは可能である。
【００８０】
さらに、上記各実施形態では、光量調節装置を搭載した撮像装置について説明したが、交換タイプの撮影レンズ装置に搭載される光量調節装置にも本発明を適用することができる。
【００８１】
【発明の効果】
以上説明したように、本発明によれば、少なくとも光学フィルタを光軸直交面に対して傾斜させているので、撮像素子等で反射して光学フィルタに戻ってきた光が光学フィルタで再び撮像素子に向けて反射されないようにすることができ、ゴーストやフレアの発生を抑えることができる。
【図面の簡単な説明】
【図１】本発明の第１実施形態である光量調節装置の分解斜視図。
【図２】上記光量調節装置の側面図およびＮＤユニットの拡大図。
【図３】上記光量調節装置の背面図。
【図４】上記光量調節装置を搭載した撮像装置の断面図。
【図５】上記撮像装置の電気回路構成を示すブロック図。
【図６】本発明の第２実施形態である光量調節装置の分解斜視図。
【図７】従来の撮像装置の断面図。
【符号の説明】
１　前玉鏡筒
２　固定鏡筒
６　ローパスフィルタ
９、９’　光量調節装置
９ａ、９ａ’　地板
９ｅ、９ｊ　絞り羽根
９ｈ　ＮＤユニット
９ｈ２，９ｈ３　ＮＤフィルタ
１２、１４　ガイド突起部
１５　撮像素子
１６　カバーガラス
Ａ、Ａ’　光軸直交面
Ｂ　光軸直交面に対して傾斜した面
▲１▼〜▲４▼　レンズ
【図１】
2004061740.tif 000003
【図２】
2004061740.tif 000004
【図３】
2004061740.tif 000005
【図４】
2004061740.tif 000006
【図５】
2004061740.tif 000007
【図６】
2004061740.tif 000008
【図７】
2004061740.tif 000009